【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
インクを噴射する液体噴射ヘッドと、
前記液体噴射ヘッドを収容する筐体とは別体に構成されて、前記インクを貯留するイン
クタンクと、
前記液体噴射ヘッドと前記インクタンクとを連通する液体チューブと、を有し、
前記筐体の側面に前記インクタンクの少なくともいずれか一方には、
前記筐体の側面に前記インクタンクを固定する帯状部材と、を備えたことを特徴とする
記録装置。
【請求項２】
請求項１に記載の記録装置であって、
前記帯状部材は、マジックテープ（登録商標）であることを特徴とする記録装置。
【請求項３】
請求項１に記載の記録装置であって、
前記帯状部材は、両面が粘着性を有する両面テープであることを特徴とする記録装置。
【請求項４】
インクを噴射する液体噴射ヘッドと、
前記液体噴射ヘッドを収容する筐体とは別体に構成されて、係合部を有し、前記インク
を貯留するインクタンクと、
前記液体噴射ヘッドと前記インクタンクとを連通する液体チューブと、
前記筐体の側面に備えられて、前記係合部と係合可能な被係合部と、を備え、
前記係合部と前記被係合部のうちのいずれか一方は、突出する突出部を有し、前記イン
クタンクは、前記係合部と前記被係合部とによって、前記側面に着脱可能に備えられるこ
とを特徴とする記録装置。
【請求項５】
請求項４に記載の記録装置であって、
前記突出部は、鉛直方向に対して傾斜して突出することを特徴とする記録装置。
【請求項６】
請求項４に記載の記録装置であって、
前記突出部は、水平方向に突出する第１の突出部と、前記第１の突出部から鉛直方向に
突出する第２の突出部とを有することを特徴とする記録装置。
【請求項７】
請求項４に記載の記録装置であって、
前記突出部は、湾曲部を有することを特徴とする記録装置。
【請求項８】
請求項４に記載の記録装置であって、
前記突出部は、先端に球状部を有することを特徴とする記録装置。
【請求項９】
請求項１から請求項８のいずれか一項に記載の記録装置であって、
前記インクタンクは、インクを貯留する貯留容器と前記貯留容器を収容する収容ケース
とを備えたことを特徴とする記録装置。
【手続補正２】
【補正対象書類名】明細書
【補正対象項目名】０００６
【補正方法】変更
【補正の内容】
【０００６】
［適用例１］インクを噴射する液体噴射ヘッドと、前記液体噴射ヘッドを収容する筐体
とは別体に構成されて、係合部を有し、前記インクを貯留するインクタンクと、前記液体
噴射ヘッドと前記インクタンクとを連通する液体チューブと、を有し、前記筐体の側面に前記インクタンクの少なくともいずれか一方には、前記筐体の側面に前記インクタンクを固定する帯状部材と、を備えたことを特徴とする
【手続補正３】
【補正対象書類名】明細書
【補正対象項目名】０００７
【補正方法】変更
【補正の内容】
【０００７】
本適用例によれば、記録装置の製造コストの増加を抑制できる。
【手続補正４】
【補正対象書類名】明細書
【補正対象項目名】０００８
【補正方法】変更
【補正の内容】
【０００８】
［適用例２］前記帯状部材は、マジックテープ（登録商標）であることを特徴とする記録装置。
【手続補正５】
【補正対象書類名】明細書
【補正対象項目名】０００９
【補正方法】変更
【補正の内容】
【０００９】
本適用例によれば、記録装置の製造コストの増加を抑制できる。
【手続補正６】
【補正対象書類名】明細書
【補正対象項目名】００１０
【補正方法】変更
【補正の内容】
【００１０】
［適用例３］前記帯状部材は、両面が粘着性を有する両面テープであることを特徴とす
る上記記録装置。
【手続補正７】
【補正対象書類名】明細書
【補正対象項目名】００１１
【補正方法】変更
【補正の内容】
【００１１】
本適用例によれば、記録装置の製造コストの増加を抑制できる。
【手続補正８】
【補正対象書類名】明細書
【補正対象項目名】００１２
【補正方法】変更
【補正の内容】
【００１２】
［適用例４］インクを噴射する液体噴射ヘッドと、前記液体噴射ヘッドを収容する筐体とは別体に構成されて、係合部を有し、前記インクを貯留するインクタンクと、前記液体噴射ヘッドと前記インクタンクとを連通する液体チューブと、前記筐体の側面に備えられて、前記係合部と係合可能な被係合部と、を備え、前記係合部と前記被係合部のうちのいずれか一方は、突出する突出部を有し、前記インクタンクは、前記係合部と前記被係合部とによって、前記側面に着脱可能に備えられることを特徴とする記録装置。
【手続補正９】
【補正対象書類名】明細書
【補正対象項目名】００１３
【補正方法】変更
【補正の内容】
【００１３】
本適用例によれば、係合部と被係合部のうちのいずれか一方は、突出する突出部を有し
、インクタンクは、係合部と被係合部とによって、側面に着脱可能に備えられる。これに
より、インクタンクを筐体に装着し、筐体とインクタンクとを一体化した状態で、持ち運
ぶことができる。従って、筐体とインクタンクとを、使用者が持ち運ぶときの作業が容易
となる。
【手続補正１０】
【補正対象書類名】明細書
【補正対象項目名】００１４
【補正方法】変更
【補正の内容】
【００１４】
［適用例５］前記突出部は、鉛直方向に対して傾斜して突出することを特徴とする記録装置。
【手続補正１１】
【補正対象書類名】明細書
【補正対象項目名】００１６
【補正方法】変更
【補正の内容】
【００１６】
［適用例６］前記突出部は、水平方向に突出する第１の突出部と、前記第１の突出部から鉛直方向に突出する第２の突出部とを有することを特徴とする記録装置。
【手続補正１２】
【補正対象書類名】明細書
【補正対象項目名】００１８
【補正方法】変更
【補正の内容】
【００１８】
［適用例７］前記突出部は、湾曲部を有することを特徴とする記録装置。
【手続補正１３】
【補正対象書類名】明細書
【補正対象項目名】００１９
【補正方法】変更
【補正の内容】
【００１９】
本適用例によれば、係合部と被係合部のうちのいずれか一方が、係合部と被係合部のう
ちの他方の突出部における湾曲部に沿って移動できるので、使用者がインクタンクを筐体
に容易に装着したり、インクタンクを筐体から容易に取り外したりすることができる。
【手続補正１４】
【補正対象書類名】明細書
【補正対象項目名】００２０
【補正方法】変更
【補正の内容】
【００２０】
［適用例８］前記突出部は、先端に球状部を有することを特徴とする記録装置。
【手続補正１５】
【補正対象書類名】明細書
【補正対象項目名】００２１
【補正方法】変更
【補正の内容】
【００２１】
本適用例によれば、本適用例によれば、筐体に対するインクタンクの姿勢が変化しても、係合部と被係合部との係合状態を維持できる。
【手続補正１６】
【補正対象書類名】明細書
【補正対象項目名】００２２
【補正方法】変更
【補正の内容】
【００２２】
［適用例９］前記インクタンクは、インクを貯留する貯留容器と前記貯留容器を収容する収容ケースとを備えたことを特徴とする記録装置。
【手続補正１７】
【補正対象書類名】明細書
【補正対象項目名】００２３
【補正方法】変更
【補正の内容】
【００２３】
本適用例によれば、収容ケースによって剛性を高めることができるので、インクタンク
が自重によって変形することを抑制できる。また、収容ケースによって貯留容器を覆うこ
とができるので、貯留容器が外力により損傷することを抑制できる。